(57)【要約】【課題】電気掃除機の使用中に電話やインターホンが報知音を出したときに、使用者にその報知音を確実に気付かせることが出来る電気掃除機を提供する。【解決手段】塵埃を吸引する吸引風を発生させる電動送風機２を内蔵した掃除機本体１と、前記掃除機本体１内部に電力を供給する電源コード６と、音による報知機能を有する電話機９へ前記電源コード６を介して通信するＰＬＣ通信制御部１０と、前記ＰＬＣ通信制御部１０からの信号の処理や前記電動送風機２の制御を行なう制御部１１とを備え、前記ＰＬＣ通信制御部１０が信号を受信したときに前記電動送風機２が動作していた場合は、前記制御部１１が前記電動送風機２の回転速度に応じて、前記電話機９に音量を上げる信号を返すもので、電話機９の着信時に着信音量が上がり、使用者が確実に電話機９の着信に気付くことができるものである。【選択図】図１
2013180081.tif 000002
【特許請求の範囲】
【請求項１】
塵埃を吸引する吸引風を発生させる電動送風機を内蔵した掃除機本体と、前記掃除機本体内部に電力を供給する電源コードと、音による報知機能を有する外部機器へ前記電源コードを介して通信するＰＬＣ通信制御部と、前記ＰＬＣ通信制御部からの信号の処理や前記電動送風機の制御を行なう制御部とを備え、前記ＰＬＣ通信制御部が信号を受信したときに前記電動送風機が動作していた場合は、前記制御部が前記電動送風機の回転速度に応じて、前記外部機器に音量を上げる信号を返すことを特徴とした電気掃除機。
【発明の詳細な説明】
【技術分野】
【０００１】
本発明は、電気掃除機に関するものである。
【背景技術】
【０００２】
従来の電気掃除機は低騒音化されたとしても、その掃除機本体に内蔵された電動送風機は、一般家庭の日常生活の中で発生する騒音としては比較的大きい騒音を発生させていた（例えば、特許文献１参照）。
【先行技術文献】
【特許文献】
【０００３】
【特許文献１】特開２０１１−１４４７５７号公報
【発明の概要】
【発明が解決しようとする課題】
【０００４】
このため、上記従来の電気掃除機の構成では、電気掃除機の使用中に、電話の着信やインターホンの呼び出しがあり機器が呼び出し音を鳴らしても、その呼び出し音が、電気掃除機の出す騒音にかき消されてしまい、使用者が気付かないことが多くあった。
【０００５】
本発明は、上記従来の課題を解決するものであって、電気掃除機の使用中に電話やインターホンが報知音を出したときに、その報知音量を上げて使用者に確実に気付かせることが出来る電気掃除機を提供することを目的とする。
【課題を解決するための手段】
【０００６】
前記従来の課題を解決するために、本発明の電気掃除機は、塵埃を吸引する吸引風を発生させる電動送風機を内蔵した掃除機本体と、前記掃除機本体内部に電力を供給する電源コードと、音による報知機能を有する外部機器へ前記電源コードを介して通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号の処理や前記電動送風機の制御を行なう制御部とを備え、前記ＰＬＣ通信制御部が信号を受信したときに前記電動送風機が動作していた場合は、前記制御部が前記電動送風機の回転速度に応じて、前記外部機器に音量を上げる信号を返すもので、外部機器の着信時に着信音量が上がり、使用者が確実に電話の着信に気付くことができるものである。
【発明の効果】
【０００７】
本発明の電気掃除機は、電気掃除機を使用中に、電話の着信やインターホンの着信時にその着信音量が上がるので、使用者は確実に機器の呼び出しに気付くことができるものである。
【図面の簡単な説明】
【０００８】
【図１】本発明の実施の形態１における電気掃除機の斜視外観図
【図２】同電気掃除機の制御ブロック図
【発明を実施するための形態】
【０００９】
第１の発明は、塵埃を吸引する吸引風を発生させる電動送風機を内蔵した掃除機本体と、前記掃除機本体内部に電力を供給する電源コードと、音による報知機能を有する外部機器へ前記電源コードを介して通信するＰＬＣ通信制御部と、前記ＰＬＣ通信制御部からの信号の処理や前記電動送風機の制御を行なう制御部とを備え、前記ＰＬＣ通信制御部が信
号を受信したときに前記電動送風機が動作していた場合は、前記制御部が前記電動送風機の回転速度に応じて、前記外部機器に音量を上げる信号を返すもので、外部機器の着信時に着信音量が上がり、使用者が確実に電話の着信に気付くことができるものである。
【００１０】
以下、本発明の実施の形態について、図面を参照しながら説明する。なお、この実施の形態によって本発明が限定されるものではない。
【００１１】
（実施の形態１）
図１は、本発明の実施の形態１における電気掃除機の斜視外観図、図２は、同電気掃除機の制御ブロック図である。
【００１２】
図１、２において、本実施の形態における電気掃除機の掃除機本体１は、後部に吸引風を発生する電動送風機２を内蔵し、その前部に、着脱自在で塵埃を捕集する集塵袋３を配置している。掃除機本体１の後方下部の両側には、１対の走行用の車輪４が回転自在に取着され、底面前部には、同じく走行用のキャスター５が取着され、後部には、掃除機本体１に電源を供給する電源コード６が接続され、電源コード６の先端には、室内のコンセント７に接続するための電源プラグ８が配置されている。
【００１３】
また、掃除機本体１の内部には、電源コード６を介して、音による報知機能を有する外部機器の一つである電話機９との信号の伝達を行うＰｏｗｅｒ  Ｌｉｎｅ  Ｃｏｍｍｕｎｉｃａｔｉｏｎ通信制御部１０（以下、「ＰＬＣ通信制御部１０」という。）と、ＰＬＣ通信制御部１０からの信号を受けて電動送風機２を制御する制御部１１が内蔵されている。
【００１４】
また、電話機９は、ホームサーバ（図示せず）と無線接続されており、電話の着信時にはホームサーバーを経由してＰＬＣ通信制御部１０へ向けて着信信号を発信する機能を有する。また、通常時の電話機９は、６０ｄＢの音量で着信音を鳴らすように設定されている。
【００１５】
一端が掃除機本体１に着脱自在に接続されるホース２１の他端には、手元部２０が設けられ、その手元部には、操作手段２２が配され、各種の動作モード（例えば、「強」・「中」・「弱」・「切」等の吸込み力）を選択できるようになっている。そして、ホース２１の手元部２０は、伸縮自在或いは継ぎ自在の延長管２３と接続される。
【００１６】
延長管２３は、掃除面に接して被掃除面の塵埃等を吸引するための吸込具２４と接続される。吸込具２４は、被掃除面の塵埃を掻き上げる回転ブラシ２５と、回転ブラシ２５をベルト２６を介して回転駆動する電動機２７を内蔵している。
【００１７】
以上のように構成された本実施の形態における電気掃除機について、以下その動作、作用を説明する。
【００１８】
使用者が、電源プラグ８をコンセント７に接続後に操作手段２２を操作し、例えば、「強」の動作モードを選択すると、制御部１１は、操作手段２２からの情報を基に、電動送風機２及び電動機２７を駆動させる。
【００１９】
このときに電動送風機２は、およそ４００００ｒｐｍで高速回転し、６０ｄＢもの大きな騒音を出す。そのため通常は、掃除中に電話機９に着信があっても、電話機９の着信音量も６０ｄＢのため、使用者が電話機９の着信に気がつかない場合がある。
【００２０】
しかしながら本実施の形態においては、電話機９に電話の着信があると、電話機９はホ
ームサーバー（図示せず）を経由して、ＰＬＣ通信制御部１０へ向けて電源コード６を介して着信信号を発信する。
【００２１】
着信信号を受信したＰＬＣ通信制御部１０は、着信信号を制御部１１へ伝達する。このときに電動送風機２は、「強」の動作モードで回転しているため、制御部１１は、ＰＬＣ通信制御部１０へ着信報知音を上げるよう信号を返し、ＰＬＣ通信制御部１０は、ホームサーバー（図示せず）を経由して電話機９に着信報知音を上げるよう信号を伝達し、電話機９は着信報知音量を８０ｄＢまで上げる。
【００２２】
以上の動作によって、使用者は掃除機本体１を使用中に電動送風機２から発生する騒音に邪魔されること無く、電話の着信に確実に気付くことができ、使い勝手の良い電気掃除機を使用者に提供することが出来る。
【００２３】
なお、電動送風機２の運転モードが「中」で、騒音が「強」の動作モード時に比べ小さいときは、電話機９の着信報知音量を７０ｄＢまで上げるなどして、電動送風機２の回転速度に応じて、電話機９の着信報知音量を上げるようにしても良い。
【００２４】
なお、本発明は使用者の呼び出しを音で行う機器であれば適用は可能であり、例えば電話機９をインターホンとしてもよい。
【産業上の利用可能性】
【００２５】
以上のように、本発明にかかる電気掃除機は、電気掃除機の使用中でも、電話やインターホンの報知音を使用者に確実に気付かせることが出来るもので、各種家庭用、業務用電気掃除機等に広く適用できる。
【符号の説明】
【００２６】
１  掃除機本体
２  電動送風機
６  電源コード
９  電話機（外部機器）
１０  ＰＬＣ通信制御部
１１  制御部
【図１】
2013180081.tif 000003
【図２】
2013180081.tif 000004